(57)【特許請求の範囲】
【請求項１】
センサーにより感知された移動体の情報に基づいて、各種の情報を提示する表示装置に前記移動体が近づいたか否かを判定する判定手段と、
前記判定手段により前記移動体が前記表示装置に近づいたと判定された場合、前記各種の情報に関わる付加情報を前記表示装置に表示する表示手段と、
を有し、
前記表示手段は、前記センサーにより感知された前記移動体の情報に含まれる前記移動体と前記表示装置との距離の情報、及び前記表示装置の画面サイズに基づいて拡大倍率を算出し、前記拡大倍率に応じて前記付加情報を拡大して表示することを特徴とする情報提示装置。
【請求項２】
前記判定手段は、前記センサーにより前記移動体が感知された時間の情報と前記距離の情報とから算出する前記移動体の速度に基づいて、前記移動体が停止したか否かを判定し、
前記表示手段は、前記判定手段により前記移動体が停止したと判定された場合、前記拡大倍率より小さい拡大倍率を算出し、前記拡大倍率に応じて前記付加情報を拡大して表示することを特徴とする請求項１に記載の情報提示装置。
【請求項３】
前記判定手段は、前記距離の情報が予め定められた閾値より小さく、かつ前記距離の情報が順次短くなると、前記移動体が前記表示装置に近づいてきたと判定し、
前記表示手段は、前記判定手段により前記移動体が前記表示装置に近づいてきたと判定されるに従って、前記付加情報を連続的に拡大して表示することを特徴とする請求項１または２に記載の情報提示装置。
【請求項４】
前記判定手段は、前記距離の情報が予め定められた閾値より小さく、かつ前記距離の情報が順次短くなると、前記移動体が前記表示装置に近づいてきたと判定し、
前記表示手段は、前記判定手段により前記移動体が前記表示装置に近づいてきたと判定されるに従って、前記付加情報を段階的に拡大して表示することを特徴とする請求項１または２に記載の情報提示装置。
【請求項５】
前記表示手段は、前記判定手段により前記移動体が前記表示装置に近づいてきたと判定されるに従って、予め定められた距離の情報に対応して設けられた大きさが異なる付加情報を用いることで、前記段階的に拡大して表示することを特徴とする請求項４に記載の情報提示装置。
【請求項６】
前記表示手段は、予め定められた時間が経過すると、前記付加情報の表示を前記表示装置から消すことを特徴とする請求項１乃至５のいずれか１項に記載の情報提示装置。
【請求項７】
センサーにより感知された移動体の情報に基づいて、各種の情報を提示する表示装置に前記移動体が近づいたか否かを判定する判定手段と、
前記判定手段により前記移動体が前記表示装置に近づいたと判定された場合、前記各種の情報に関わる付加情報を前記表示装置に表示する表示手段と、
を有し、
前記表示手段は、前記センサーにより感知された前記移動体の情報に含まれる前記移動体と前記表示装置との距離の情報が予め定められた閾値より小さい場合、前記付加情報の表示を前記表示装置から消すことを特徴とする情報提示装置。
【請求項８】
センサーにより感知された移動体の情報に基づいて、各種の情報を提示する表示装置に前記移動体が近づいたか否かを判定する判定手段と、
前記判定手段により前記移動体が前記表示装置に近づいたと判定された場合、前記各種の情報に関わる付加情報を前記表示装置に表示する表示手段と、
を有し、
前記表示手段は、前記センサーにより感知された前記移動体の情報に含まれる前記移動体と前記表示装置との距離の情報が予め定められた閾値より小さくなった後、前記距離の情報が前記予め定められた閾値より大きくなった場合、前記付加情報の表示を前記表示装置から消すことを特徴とする情報提示装置。
【請求項９】
情報提示装置が実行する情報提示方法であって、
センサーにより感知された移動体の情報に基づいて、各種の情報を提示する表示装置に前記移動体が近づいたか否かを判定する判定工程と、
前記判定工程により前記移動体が前記表示装置に近づいたと判定された場合、前記各種の情報に関わる付加情報を前記表示装置に表示する表示工程と、
を有し、
前記表示工程は、前記センサーにより感知された前記移動体の情報に含まれる前記移動体と前記表示装置との距離の情報、及び前記表示装置の画面サイズに基づいて拡大倍率を算出し、前記拡大倍率に応じて前記付加情報を拡大して表示することを特徴とする情報提示方法。
【請求項１０】
情報提示装置が実行する情報提示方法であって、
センサーにより感知された移動体の情報に基づいて、各種の情報を提示する表示装置に前記移動体が近づいたか否かを判定する判定工程と、
前記判定工程により前記移動体が前記表示装置に近づいたと判定された場合、前記各種の情報に関わる付加情報を前記表示装置に表示する表示工程と、
を有し、
前記表示工程は、前記センサーにより感知された前記移動体の情報に含まれる前記移動体と前記表示装置との距離の情報が予め定められた閾値より小さい場合、前記付加情報の表示を前記表示装置から消すことを特徴とする情報提示方法。
【請求項１１】
情報提示装置が実行する情報提示方法であって、
センサーにより感知された移動体の情報に基づいて、各種の情報を提示する表示装置に前記移動体が近づいたか否かを判定する判定工程と、
前記判定工程により前記移動体が前記表示装置に近づいたと判定された場合、前記各種の情報に関わる付加情報を前記表示装置に表示する表示工程と、
を有し、
前記表示工程は、前記センサーにより感知された前記移動体の情報に含まれる前記移動体と前記表示装置との距離の情報が予め定められた閾値より小さくなった後、前記距離の情報が前記予め定められた閾値より大きくなった場合、前記付加情報の表示を前記表示装置から消すことを特徴とする情報提示方法。
【請求項１２】
コンピュータを、
請求項１乃至８のいずれか１項に記載の情報提示装置の各手段として機能させるためのプログラム。
【発明の詳細な説明】
【技術分野】
【０００１】
本発明は、情報提示装置、情報提示方法、及びプログラムに関する。
【背景技術】
【０００２】
街頭や店頭等に置かれたディスプレイに広告を表示する電子看板（いわゆるデジタルサイネージ）に注目が集まっている。大手のコンビニエンスストアは、大型ディスプレイに企業の広告等を表示するデジタルサイネージを使って、情報を発信する事業に乗り出すことを表明している。また、近年、商品等のより詳細な情報が掲載されたＷＥＢページへ誘導する手段として、ＷＥＢページのアドレス（例えば、ＵＲＬ：Uniform Resource Locator）を埋め込んだ２次元コードが広く普及している。
ディスプレイに表示される２次元コードは、広告等が表示されている面積に対し、小さな面積で表示されていることが多いので、ユーザにとっては使い勝手がよくないという問題がある。
【０００３】
近年、動画像から人間の身振り手振りを認識するという画像処理に基づいた人間の動作認識に関する研究が多くなされており、ステレオカメラを用いて３次元位置測定を行い、物体までの距離を測定する技術が開示されている（非特許文献１）。
しかしながら、画像処理に基づいた人間の動作認識に関する技術においては、画像取得環境の制約やカメラやセンサー等のコストの問題、また、処理スピード等の解決すべき課題も多い。
【０００４】
他方、広告用の画像の大きさに影響を与えずにＱＲコード（登録商標）の撮像及び読み取りを容易にするために、広告用の画像を表示する表示装置とＱＲコード（登録商標）を表示する表示装置とを別々の表示装置に分けて表示させる技術が開示されている（特許文献１参照）。
また、表示サイズと明るさとを時間に従って変化するアニメーションとして表示する２次元コードにより、携帯電話を調整しなくても映画館のスクリーンと各席を想定した距離から２次元コードを読み取ることができる技術が開示されている（特許文献２参照）。
また、表示部を有する遊技機において、２次元コードの表示により使用者に対して遊技情報の送信を行う遊技機が開示されている（特許文献３参照）。
【先行技術文献】
【特許文献】
【０００５】
【特許文献１】特開２００７−１１２３０号公報
【特許文献２】特開２００８−２６９５５０号公報
【特許文献３】特開２００６−１０２２０７号公報
【非特許文献】
【０００６】
【非特許文献１】飯塚健男、中村恭之、 和田俊和著 「ステレオカメラによるリアルタイム３次元位置計測システム」 画像の認識・理解シンポジウム(MIRU2004) Proceedings Ipp.111-112 ２００４年７月
【発明の概要】
【発明が解決しようとする課題】
【０００７】
しかしながら、従来の付加情報としての２次元コード等は、広告等の本来目的とする内容やデザインを損なわないために、広告の占める面積に対して小さく表示されていることが多い。そのため、例えば、小さく表示された２次元コードをカメラ付き携帯電話で読み込もうとする場合、カメラを接写モードに切り替えたり、カメラをディスプレイに近づけたりして、ある程度大きく撮影する必要があり、手間がかかるという問題がある。
【０００８】
本発明はこのような問題点に鑑みなされたもので、付加情報の表示が付加情報とは異なる他の表示に及ぼす影響を極力小さくし、付加情報の取得をより容易にすることを目的とする。
【課題を解決するための手段】
【０００９】
本発明に係る情報提示装置は、センサーにより感知された移動体の情報に基づいて、各種の情報を提示する表示装置に前記移動体が近づいたか否かを判定する判定手段と、前記判定手段により前記移動体が前記表示装置に近づいたと判定された場合、前記各種の情報に関わる付加情報を前記表示装置に表示する表示手段と、を有し、前記表示手段は、前記センサーにより感知された前記移動体の情報に含まれる前記移動体と前記表示装置との距離の情報、及び前記表示装置の画面サイズに基づいて拡大倍率を算出し、前記拡大倍率に応じて前記付加情報を拡大して表示することを特徴とする。
本発明に係る情報提示装置における他の態様は、センサーにより感知された移動体の情報に基づいて、各種の情報を提示する表示装置に前記移動体が近づいたか否かを判定する判定手段と、前記判定手段により前記移動体が前記表示装置に近づいたと判定された場合、前記各種の情報に関わる付加情報を前記表示装置に表示する表示手段と、を有し、前記表示手段は、前記センサーにより感知された前記移動体の情報に含まれる前記移動体と前記表示装置との距離の情報が予め定められた閾値より小さい場合、前記付加情報の表示を前記表示装置から消すことを特徴とする。
また、本発明に係る情報提示装置におけるその他の態様は、センサーにより感知された移動体の情報に基づいて、各種の情報を提示する表示装置に前記移動体が近づいたか否かを判定する判定手段と、前記判定手段により前記移動体が前記表示装置に近づいたと判定された場合、前記各種の情報に関わる付加情報を前記表示装置に表示する表示手段と、を有し、前記表示手段は、前記センサーにより感知された前記移動体の情報に含まれる前記移動体と前記表示装置との距離の情報が予め定められた閾値より小さくなった後、前記距離の情報が前記予め定められた閾値より大きくなった場合、前記付加情報の表示を前記表示装置から消すことを特徴とする。
【発明の効果】
【００１０】
本発明によれば、付加情報の表示が付加情報とは異なる他の表示に及ぼす影響を極力小さくし、付加情報の取得をより容易にすることができる。
【図面の簡単な説明】
【００１１】
【図１】情報提示システムの構成を示す図である。
【図２】制御装置の構成を示す図である。
【図３】ディスプレイと移動体と間の距離及び閾値の関係を示す図である。
【図４】付加情報の拡大倍率と距離との関係を示す図である。
【図５】表示処理に係るフローチャートを示す図である。
【図６】付加情報の拡大倍率と時間との関係を示す図である。
【発明を実施するための形態】
【００１２】
以下、本発明の実施形態を図面に基づいて説明する。
【００１３】
図１は、本実施形態に係る情報提示システムの構成を示す図である。情報提示システムは、制御装置１、センサー３、ディスプレイ４、及びカメラ付き携帯電話６を有する。制御装置１、センサー３、及びディスプレイ４は、ケーブルや無線通信等のネットワーク２に接続され、互いに通信可能である。
【００１４】
制御装置１は、情報提示装置の一例であり、移動体７が接近したか否かを判定する処理等を行う。
ネットワーク２は、制御装置１及びセンサー３間、制御装置１及びディスプレイ４間で情報をやりとりするためのもので、ケーブルや無線通信等の情報伝達手段である。なお、例えば、制御装置１とセンサー３とディスプレイ４とを一体化する構成を採用すると、ネットワーク２が回路上の配線になり、ネットワーク２がケーブル等の有線であるときは外部からは見えなくなる。また、本実施形態では、制御装置１とセンサー３とディスプレイ４とが夫々別体である例を示すが、例えば、制御装置１とセンサー３とを１つの装置としてもよい。すなわち、制御装置１とセンサー３とディスプレイ４とを任意に組み合わせた装置を採用することができる。
センサー３は、ディスプレイ４に近づく移動体７を感知する。より具体的には、センサー３は、超音波センサーや赤外線センサー等のセンサー類であり、ディスプレイ４と移動体７との距離の検出や物体の検知等を行うための機器である。センサー３が設置される位置は、適宜変更できるが、本実施形態では、センサー３は、ディスプレイ４の上に設置されているものとする。
【００１５】
ディスプレイ４は、広告用の画像、後述の付加情報５の一例である２次元コード等を表示する。ディスプレイ４は、表示装置の一例であり、ＰＤＰ（Plasma Display Panel）やＬＣＤ（Liquid Crystal Display）等の表示デバイスである。
付加情報５は、利用者の用に供する情報であり、２次元コード等のデジタルコードや地図、商品や会社のロゴ、或いは商品、サービス等の広告に付随する付加的な情報（画像データ、文字データ等）のことである。以下では、付加情報５として、２次元コードを例示して説明する。
カメラ付き携帯電話６は、付加情報５を撮像するための機器である。より具体的には、カメラ付き携帯電話６は、ディスプレイ４に拡大表示された２次元コードを撮像し、撮影した２次元コードをホームページのアドレス（ＵＲＬ）に変換し、ネットワークを介してホームページへアクセスするための装置である。
なお、移動体７は、ディスプレイ４に近づこうとする人等である。
【００１６】
ここで、各種の情報の一例である広告用の画像は、ある商品、サービス等を表す画像や文字等であり、静止画又は動画で提示（提供）されるものである。本実施形態では、利用者は、各種の情報に関わる付加情報の一例である拡大表示された２次元コードをカメラ付き携帯電話６で読み取り、当該商品及びサービス等の詳細な情報を提供しているホームページへアクセスし、ページを閲覧する。
【００１７】
図２は、制御装置１の構成を示す図である。制御装置１は、プログラム１６を実行することで、情報取得処理部１１、接近判定処理部１２、停止判定処理部１３、拡大表示処理部１４、及び表示消去処理部１５を実現する。
情報取得処理部１１は、入力データとしての情報１７をセンサー３からネットワーク２を介して取得する。入力データとしての情報１７には、移動体の位置の情報（或いは距離情報）と時間の情報とが含まれる。接近判定処理部１２は、取得された情報１７に基づいて、移動体７がディスプレイ４に十分近づいたか否かを判定する。停止判定処理部１３は、移動体７の速度に基づいて、移動体７が停止している状態であるか否かを判定する。
拡大表示処理部１４は、接近判定処理部１２での判定の結果に基づいて、移動体７が閾値を超えて近づいたと判定されれば、表示データ１８を出力し、ディスプレイ４に付加情報５を表示する。表示消去処理部１５は、移動体７が停止状態で、かつ、停止してからの時間が予め定められた閾値を超えた場合、移動体７が予め定められた閾値を超えてディスプレイ４から遠ざかった場合等に、付加情報５（画像）をディスプレイ４から消去する。
【００１８】
このように、制御装置１は、センサー３からの情報１７の位置の情報等から算出した移動体７の速度により、移動体７の停止を判定し、移動体７が遠方からディスプレイ４に近づくとき、所定の拡大倍率で連続的又は段階的に付加情報５の大きさを変化させ、利用者が、より撮像しやすい大きさで付加情報５を提供する。本実施形態では、制御装置１は、センサー３からの情報１７を十分短い時間間隔（例えば、十数ミリ秒）で取得している。そこで、連続的な表示とは、この短い時間間隔で表示画像を更新することや段階的な表示（後述する図３を参照のこと。）という場合より短い時間間隔で表示画像を変更することをいう。
【００１９】
ここで、制御装置１は、ハードウェアとして、ＣＰＵ（Central Processing Unit）、メモリ、ハードディスク、通信インタフェース、ディスク読み取り装置、ビデオカード、マザーボード等の機器を有する。
ＣＰＵは、オペレーティングシステムのプログラムやアプリケーションプログラムに基づく四則演算、比較演算等の各種の演算及びハードウェアの制御を行う。メモリは、ハードディスク等から読み出されたオペレーティングシステムのプログラムやアプリケーションプログラム等を記憶する。通信インタフェースは、ネットワーク２を介して接続された外部装置（センサー３、ディスプレイ４等）との通信を行う。ビデオカードは、ディスプレイ４に出力する画像信号（表示データ１８）を生成する。
【００２０】
本実施形態では、制御装置１のＣＰＵが、ハードウェアに格納されたプログラムの手順に従って処理を行うことによって、制御装置１における機能及び後述するフローチャートに係る処理が実現される。
なお、制御装置１は、オペレーティングシステムや画像を表示するためのアプリケーションソフトウェア等を実行する汎用のコンピュータで実現できる。また、制御装置１は、一又は複数のマイクロチップ上に実装される場合もある。
【００２１】
次に、図３を参照して付加情報５の段階的な表示について説明する。図３は、ディスプレイ４と移動体７との間の距離ｄ及び閾値の関係を示す図である。
図３に示すように、予め複数の距離の閾値を設けておき、制御装置１は、移動体７が何れかの閾値を超えてディスプレイ４に近づくたびに付加情報の大きさを変更する。すなわち、段階的な表示とは、このように付加情報５の大きさを変更することである。
【００２２】
段階的な表示の変更には、後述の拡大倍率ｚ（式（２）（３）（４）を用いて算出される。）で、大きさを変更する構成と、元の画像（元画像）を拡大したサイズの異なる画像（換言するならば、予め定められた距離に対応して設けられた大きさが異なる付加情報５）を複数枚準備しておき、画像を切り替えて表示する構成とのどちらを採用してもよい。なお、段階的な表示の変更には、距離の閾値が１つの場合もある。
【００２３】
図３において、ディスプレイ４と移動体７と間の距離をｄとすると、制御装置１は、移動体７がディスプレイ４に近づいてきたとき、より具体的には、距離ｄの値が所定の閾値ＤT1より小さくなったとき、付加情報５を拡大表示する。すなわち、距離ｄの値が閾値ＤT1より小さくなったとき、制御装置１は、所定の拡大倍率により、付加情報を連続的又は段階的に拡大表示する。
ここで、拡大倍率ｚは、式（１）に示す関数より正方向に凸となる関数により求められる。なお、ＺLは、最終倍率を表し、ＤT1は、閾値である。
【００２４】
【数１】
0005523086.tif 000002
【００２５】
図４は、付加情報５の拡大倍率ｚと距離ｄとの関係を示す図である。
式（１）に示す関数より正方向に凸となる関数を満足する関数の１つの例として、式（２）を示す。拡大倍率ｚは、ディスプレイ４と移動体７と間の距離ｄ、ディスプレイ４の画面サイズＳ、補正係数ｃ、移動体７がディスプレイ４に近づいたと判定する距離の閾値ＤT1により、式（２）の計算結果として得られる。
【００２６】
【数２】
0005523086.tif 000003
【００２７】
ここで、係数ｋは、グラフの立ち上がりを決定するための係数であり、拡大表示の開始時にどの程度の割合で拡大するのか、すなわち、急に拡大するのか、ゆっくりと拡大するのかを決定するための係数である。
定数ｂは、最終倍率ＺLに関係する定数である。
補正係数ｃは、移動体７の速度ｖの変化量Δｖにより定まり、式（３）により得られる。
【００２８】
【数３】
0005523086.tif 000004
【００２９】
付加情報５の大きさｓIは、式（４）により定義される。ただし、Ｉ0は、元画像の大きさを表す。
【００３０】
【数４】
0005523086.tif 000005
【００３１】
補正係数ｃは、移動体７の速度ｖの変化量Δｖにより定まる係数で、このことは、人間等の移動体７がディスプレイ４に近づいてきた際に、急には停止することができないという特性のために必要な係数で、移動体７が停止した際に、付加情報５の拡大倍率を停止直前の拡大倍率より小さくなるように作用する。
【００３２】
上述したように、本実施形態では、移動体７がディスプレイ４に近づいてきたことを制御装置１で判定し、ディスプレイ４に２次元コード等の付加情報５を拡大表示する。２次元コードが拡大表示されると、利用者がカメラ付き携帯電話６で情報を取得することが容易になり、利便性が増す。
【００３３】
次に、図５を参照して、付加情報５の表示に係る処理（表示処理）を説明する。図５は、表示処理に係るフローチャートを示す図である。なお、図５において、Ｓ２１は、情報取得処理部１１での処理、Ｓ２２は、接近判定処理部１２での処理、Ｓ２３，Ｓ２４は、停止判定処理部１３での処理、Ｓ２５〜Ｓ２９は、拡大表示処理部１４での処理、Ｓ３０〜Ｓ３３は、表示消去処理部１５での処理をそれぞれ示している。
【００３４】
情報取得処理部１１は、センサー３からの情報１７を取得し、ディスプレイ４と移動体７との距離ｄを計算する（Ｓ２１）。
続いて、接近判定処理部１２は、移動体７がディスプレイ４に近づいてきたと判定するための距離の閾値ＤT1（図３）を超えて近づいてきたとき、すなわち、ｄ＜ＤT1の関係が成り立つか否かを判定する（Ｓ２２）。ここで、関係が成り立つと判定された場合、続いて、Ｓ２３の処理が行われる。他方、関係が成り立たないと判定された場合、続いて、Ｓ２１の処理が行われる。なお、接近判定処理部１２は、距離ｄが順次短くなると、移動体７がディスプレイ４に近づいてきたと判定する。
【００３５】
Ｓ２３では、停止判定処理部１３は、時刻ｔと時刻ｔ＋Δｔとにおける距離ｄ（ｔ），ｄ（ｔ＋Δｔ）より、移動体７の速度ｖを算出する。
続いて、停止判定処理部１３は、速度ｖの変化量Δｖが閾値α以下であるか否かを判定する（Ｓ２４）。この判定は、移動体７が停止したか否かの判定である。ここで、速度ｖの変化量Δｖが閾値α以下であると判定された場合、Ｓ２５の処理が行われる。他方、速度ｖの変化量Δｖが閾値αより大きい（すなわち、移動体７が停止状態でない）と判定された場合、Ｓ２６の処理が行われる。
【００３６】
Ｓ２５では、拡大表示処理部１４は、式（１）の補正係数ｃに０＜ｃ＜１の値を設定する。これは、移動体７が停止した際に、拡大倍率ｚにより拡大表示された付加情報５を少しだけ小さな大きさに変更することを意味する。続いて、拡大表示処理部１４は、Ｓ２７の処理を行う。
【００３７】
Ｓ２６では、拡大表示処理部１４は、式（１）の補正係数ｃをｃ＝１に設定する。続いて、拡大表示処理部１４は、Ｓ２７の処理を行う。
【００３８】
Ｓ２７では、拡大表示処理部１４は、式（２）に従って、拡大倍率ｚを算出する。続いて、拡大表示処理部１４は、式（４）に従って、付加情報５として表示する画像のサイズを計算する（Ｓ２８）。このとき、付加情報５の大きさの変更は、連続的に変更する場合と段階的に行う場合がある。例えば、段階的に行う場合は、拡大倍率ｚは、距離ｄの値が閾値ＤT1、ＤT2、ＤT3、・・・となったときに、式（２）のｄの値をＤT1、ＤT2、ＤT3、・・・とすることにより求められる。本実施形態では、何れの構成を採用するかについては適宜採用できる。続いて、拡大表示処理部１４は、式（４）により得られた拡大画像である付加情報５をディスプレイ４に表示する（Ｓ２９）。
【００３９】
続いて、表示消去処理部１５は、速度ｖの変化量Δｖが閾値α以下であり、且つ、この状態（すなわち移動体７が停止状態）になってからの時間が予め定められた閾値Ｔ以上であるか否かを判定する（Ｓ３０）。ここで、表示消去処理部１５は、条件を満たすと判定した場合（判定が真の場合）、Ｓ３１の処理を行う。他方、表示消去処理部１５は、条件を満たさないと判定した場合、Ｓ３２の処理を行う。
【００４０】
Ｓ３１では、表示消去処理部１５は、表示されている付加情報５をディスプレイ４から消去する。
【００４１】
Ｓ３２では、表示消去処理部１５は、距離ｄが閾値ＤT1を超えて遠ざかっていったとき、すなわち、ｄ＞ＤT1の関係が成り立つか否かを判定する。移動体７がディスプレイ４から遠ざかるとは、図３において距離ｄが一旦、閾値ＤT1より小さくなり、その後、距離ｄが閾値ＤT1より大きくなった場合をいう。このとき、表示消去処理部１５は、ｄ＞ＤT1の関係が成り立つと判定した場合、Ｓ３３の処理を行う。他方、表示消去処理部１５がｄ＞ＤT1の関係が成り立たないと判定した場合、Ｓ２１の処理が行われる。
【００４２】
Ｓ３３では、表示消去処理部１５は、表示されている付加情報５をディスプレイ４から消去する。
【００４３】
このように、表示消去処理部１５は、移動体７が停止し、付加情報５の表示時間が閾値を超えたとき、表示された付加情報５をディスプレイ４から消す処理を行う。また、表示消去処理部１５は、接近判定処理部１２による判定の結果に基づいて、付加情報５の表示後、移動体７がディスプレイ４から遠ざかる場合（距離ｄが、予め定められた閾値より小さくなった後、前記閾値より大きくなった場合）、表示された付加情報５をディスプレイ４から消す処理を行う。
なお、表示消去処理部１５は、接近判定処理部１２による判定の結果に基づいて、移動体７がディスプレイ４に閾値ＤTn（予め定められた閾値のうちでもっとも小さい閾値）を超えて近づきすぎたと判定した場合、表示された付加情報５をディスプレイ４から消す処理を行ってもよい。ここで、移動体７がディスプレイ４に近づきすぎたときとは、図３において距離ｄが閾値ＤTnより小さくなった場合をいう。
【００４４】
上述した構成によれば、ディスプレイと移動体との距離及び算出した移動体の速度により、付加情報の大きさを変化（或いは、補正）して表示させるので、利用者は、２次元コード等の付加情報の撮像及び読み取りが容易になる。換言するならば、２次元コードを読み込もうとする利用者の動きに連動して、２次元コードが拡大表示されるので、ユーザビリティの向上が期待できる。
また、ディスプレイに移動体が近づくことを検出することにより、２次元コードを拡大表示させるので、元々の広告のデザイン性を損なわずに２次元コードの撮像及び読み取りが容易になる。
【００４５】
本実施形態は、上述した構成に限られるものではない。例えば、拡大倍率ｚを変更する別の形態として、拡大倍率ｚが時間ｔに関係して変わる構成を採用してもよい。例えば、移動体７が距離の閾値ＤT1を超えてディスプレイ４に近づいてきたとき、距離ｄに関係なく時間ｔで付加情報５の大きさを変更する構成を採用してもよい。
なお、ここでいう時間ｔは、移動体７が閾値ＤT1を超えてからの経過時間である。
【００４６】
図６は、付加情報５の拡大倍率ｚと時間ｔとの関係を示す図である。図６には、拡大倍率ｚと時間ｔとの関係がグラフとして表されている。
時間ｔに依存した拡大表示において、連続的な表示とは、画像を変更する時間間隔が数ミリ秒から数百ミリ秒の間隔で画像を変更する場合をいう。また、時間ｔに依存した拡大表示において、段階的な表示とは、画像を変更する時間間隔が０．５秒以上の場合をいう。
【００４７】
ここで、予備実験として行った２次元コードの情報を取得する時間（情報取得時間）に関する実験について説明する。
本実験では、ディスプレイから２メートル離れたところから、従来の２次元コードの大きさに相当する小さいサイズの２次元コード（15mm×15mm）と大きいサイズの２次元コード（160mm×160mm）をカメラ付き携帯電話を用いて読み取る。被験者は、２次元コードを撮像するのに、適度な大きさになるまで表示ディスプレイに近づき２次元コードの読み取りを行い、そのときにどのくらいの時間が掛かったかを測定した。携帯電話の使用機種は、「三菱電機製D705iμ」であった。
実験の結果、小さいサイズの情報取得時間の平均は１１．６秒で、大きいサイズの情報取得時間の平均は６．１秒であり、そこには、情報取得時間に２倍近い差が見られた。
【００４８】
＜その他の実施形態＞
また、本発明は、以下の処理を実行することによっても実現される。即ち、上述した実施形態の機能を実現するソフトウェア（プログラム）を、ネットワーク又は各種記憶媒体を介して装置に供給し、その装置のコンピュータ（ＣＰＵ等）がプログラムを読み出して実行する処理である。
【００４９】
本発明の好ましい実施形態について説明したが、本発明は係る説明した実施形態に限られるものではなく、特許請求の範囲に記載された本発明の要旨の範囲内において、種々の変形、変更ができる。
【符号の説明】
【００５０】
１  制御装置
２  ネットワーク
３  センサー
４  ディスプレイ
５  付加情報
６  カメラ付き携帯電話
７  移動体
【図１】
0005523086.tif 000006
【図２】
0005523086.tif 000007
【図３】
0005523086.tif 000008
【図４】
0005523086.tif 000009
【図５】
0005523086.tif 000010
【図６】
0005523086.tif 000011